(57)【特許請求の範囲】
【請求項１】
マトリックス状に配置された複数の光電変換素子と、該光電変換素子に蓄積された信号電荷を垂直駆動パルスに従って列毎に垂直方向に転送する垂直転送路と、該垂直転送路で転送された信号電荷を水平駆動パルスに従って水平方向に転送する水平転送路と、該水平転送路で転送された信号電荷を電気信号に変換して出力する出力回路とを含む固体撮像素子と、水平ブランキング期間に前記垂直駆動パルスを出力し水平走査期間に前記水平駆動パルスを繰り返し出力する駆動手段とを有する固体撮像装置において、該装置は、
前記固体撮像素子から出力される信号に基づいて表示用信号を生成して出力する信号処理手段と、
前記駆動手段を制御して垂直駆動パルスの出力を所定のタイミングでマスキングさせる制御手段と、
前記信号処理手段により少なくとも前記駆動手段が垂直駆動パルスの出力をマスキングする直前に生成された１水平走査期間の表示用信号を格納するラインメモリとを含み、
前記信号処理手段は、前記垂直駆動手段が前記制御手段の制御に従って垂直駆動パルスの出力をマスキングしたとき、前記ラインメモリから１水平走査期間の表示用信号を読み出して出力することを特徴とする固体撮像装置。
【請求項２】
請求項１に記載の装置において、前記固体撮像素子は、ベイヤ方式の色フィルタアレイを備えていることを特徴とする固体撮像装置。
【請求項３】
請求項１に記載の装置において、前記ラインメモリは、前記信号処理手段に内蔵されていることを特徴とする固体撮像装置。
【請求項４】
請求項１に記載の装置において、前記ラインメモリは、前記信号処理手段で生成された表示用信号を水平走査期間毎に格納することを特徴とする固体撮像装置。
【請求項５】
マトリックス状に配置された複数の光電変換素子と、該光電変換素子に蓄積された信号電荷を垂直駆動パルスに従って列毎に垂直方向に転送する垂直転送路と、該垂直転送路で転送された信号電荷を水平駆動パルスに従って水平方向に転送する水平転送路と、該水平転送路で転送された信号電荷を電気信号に変換して出力する出力回路とを含む固体撮像素子と、水平ブランキング期間に前記垂直駆動パルスを出力し水平走査期間に前記水平駆動パルスを繰り返し出力する駆動手段とを有する固体撮像装置において、該装置は、
３つのメモリを有し、該３つのメモリから１つのメモリを水平走査期間毎に所定の順序で繰り返し選択して前記固体撮像素子から出力される１水平走査期間の信号を格納し、他の２つのメモリにそれぞれ格納されている１水平走査期間の信号に基づいて水平走査期間が１／Ｎ（Ｎは２以上の自然数）の表示用信号をＮライン分生成して出力する信号処理手段と、
前記駆動手段を制御して垂直駆動パルスの出力を所定のタイミングで一時停止させる制御手段とを含み、
前記信号処理手段は、前記垂直駆動手段が前記制御手段の制御に従って垂直駆動パルスの出力を一時停止したとき、前記３つのメモのうちの前回選択されなかった２つのメモリにそれぞれ格納されている１水平走査期間の信号に基づいて水平走査期間が１／Ｎの表示用信号をＮライン分生成し出力することを特徴とする固体撮像装置。
【請求項６】
請求項１または５に記載の装置において、前記制御手段は、前記固体撮像素子のライン数と表示用画像信号のライン数との比に応じて、前記垂直駆動パルスの出力を停止させることを特徴とする固体撮像装置。
【請求項７】
光電変換素子と垂直選択スイッチとを含む複数の画素をマトリックス状に配置して該複数の画素を列毎に垂直信号線で接続するとともに行毎に制御線で接続し、各画素は制御線に垂直走査パルスが印加されたとき光電変換素子に蓄積されている信号電荷の電圧を前記垂直選択スイッチにより前記垂直信号線に非破壊読み出しする画素アレイと、
前記垂直信号線毎に設けられ、水平走査パルスが印加されたとき前記信号電圧を信号出力線に出力する複数の水平選択スイッチと、
前記制御線を順次選択して前記垂直走査パルスを印加する垂直走査手段と、
前記水平選択スイッチを順次選択して水平走査パルスを印加する水平走査手段とを含むMOS 形撮像素子と、
前記垂直走査手段を制御して前記制御線の選択を、前記画素のライン数と前記MOS 形撮像素子の出力を表示する表示装置のライン数との比に応じた所定のタイミングで一時停止させる制御手段とを含み、
前記MOS 形撮像素子の垂直走査手段は、前記制御手段の制御に従って制御線の選択を一時停止したとき、前回選択した制御線に再度垂直走査信号を印加することを特徴とする固体撮像装置。
【発明の詳細な説明】
【０００１】
【発明の属する技術分野】
本発明は、固体撮像素子で得られる画像信号のライン数を増やして出力する固体撮像装置に関する。
【０００２】
【従来の技術】
固体撮像装置で撮った動画像を表示装置でモニタする場合に、固体撮像装置におけるCCD （Charge Coupled Device ）撮像素子（以下CCD と称す）の垂直方向の画素数が表示装置のライン数より少ないとき、固体撮像装置から出力される画像信号のライン数が表示装置で表示されるライン数より少なくなる。このため、表示装置では、画面の上部に画像が縦方向につぶされた形で表示され、画面の下部が無表示の状態になる。従来、このような問題を解決するため固体撮像装置では、CCD から読み出された画像信号をフレーム画像メモリあるいはフィールド画像メモリに一旦格納し、格納した画像信号を適宜読み出してDSP （Digital Signal Processor）によりラインを補間し、たとえば、６ライン出力する毎に７ライン目を６ライン目と同一の画像信号を出力して（単純補間）ライン数を表示装置のライン数に合わせ、表示装置に出力していた。
【０００３】
【発明が解決しようとする課題】
しかしながら、上述の固体撮像装置では、フレーム画像メモリあるいはフィールド画像メモリ等の大容量の画像メモリを使用するため、消費電力が大きくなるという問題があった。特に、携帯用の小型ムービーや電子スチルカメラ等では、この画像メモリによる消費電力の増大が問題とされていた。
【０００４】
また、上述の固体撮像装置では、CCD から読み出した大量のデータをフレーム画像メモリあるいはフィールド画像メモリに格納したり、格納したデータを読み出してDSP で処理するので、データバスがそのデータ転送のために殆ど占有され、システムのパフォーマンスが低下するという問題があった。
【０００５】
本発明は、このような従来技術の欠点を解決し、フレーム画像メモリあるいはフィールド画像メモリを用いることなくラインを補間する固体撮像装置を提供することを目的とする。
【０００６】
【課題を解決するための手段】
本発明は上述の課題を解決するために、マトリックス状に配置された複数の光電変換素子と、光電変換素子に蓄積された信号電荷を垂直駆動パルスに従って列毎に垂直方向に転送する垂直転送路と、垂直転送路で転送された信号電荷を水平駆動パルスに従って水平方向に転送する水平転送路と、水平転送路で転送された信号電荷を電気信号に変換して出力する出力回路とを含む固体撮像素子と、水平ブランキング期間に垂直駆動パルスを出力し水平走査期間に水平駆動パルスを繰り返し出力する駆動手段とを有する固体撮像装置において、この装置は、固体撮像素子から出力される信号に基づいて表示用信号を生成して出力する信号処理手段と、駆動手段を制御して垂直駆動パルスの出力を所定のタイミングで一時停止させる制御手段と、信号処理手段により少なくとも駆動手段が垂直駆動パルスの出力を一時停止する直前に生成された１水平走査期間の表示用信号を格納するラインメモリとを含み、信号処理手段は、垂直駆動手段が制御手段の制御に従って垂直駆動パルスの出力を一時停止したとき、ラインメモリから１水平走査期間の表示用信号を読み出して出力することを特徴とする。
【０００７】
また、本発明は、マトリックス状に配置された複数の光電変換素子と、光電変換素子に蓄積された信号電荷を垂直駆動パルスに従って列毎に垂直方向に転送する垂直転送路と、垂直転送路で転送された信号電荷を水平駆動パルスに従って水平方向に転送する水平転送路と、水平転送路で転送された信号電荷を電気信号に変換して出力する出力回路とを含む固体撮像素子と、水平ブランキング期間に垂直駆動パルスを出力し水平走査期間に水平駆動パルスを繰り返し出力する駆動手段とを有する固体撮像装置において、この装置は、３つのメモリを有し、この３つのメモリから１つのメモリを水平走査期間毎に所定の順序で繰り返し選択して固体撮像素子から出力される１水平走査期間の信号を格納し、他の２つのメモリにそれぞれ格納されている１水平走査期間の信号に基づいて水平走査期間が１／Ｎの表示用信号をＮライン分生成して出力する信号処理手段と、駆動手段を制御して垂直駆動パルスの出力を所定のタイミングで一時停止させる制御手段とを含み、信号処理手段は、垂直駆動手段が制御手段の制御に従って垂直駆動パルスの出力を一時停止したとき、３つのメモのうちの前回選択されなかった２つのメモリにそれぞれ格納されている１水平走査期間の信号に基づいて水平走査期間が１／Ｎの表示用信号をＮライン分生成し出力することを特徴とする。
【０００８】
また、本発明は、光電変換素子と垂直選択スイッチとを含む複数の画素をマトリックス状に配置してこの複数の画素を列毎に垂直信号線で接続するとともに行毎に制御線で接続し、各画素は制御線に垂直走査パルスが印加されたとき光電変換素子に蓄積されていた信号電荷を垂直選択スイッチにより垂直信号線に出力する画素アレイと、垂直信号線毎に設けられ、水平走査パルスが印加されたとき垂直信号線からの信号を信号出力線に出力する複数の水平選択スイッチと、制御線を順次選択して垂直走査パルスを印加する垂直走査手段と、水平選択スイッチを順次選択して水平走査パルスを印加する水平走査手段とを含むMOS 形撮像素子と、垂直走査手段を制御して制御線の選択を所定のタイミングで一時停止させる制御手段とを含み、MOS 形撮像素子の垂直走査手段は、制御手段の制御に従って制御線の選択を一時停止したとき、前回選択した制御線に再度垂直走査信号を印加することを特徴とする。
【０００９】
【発明の実施の形態】
次に本発明の実施例を図面を用いて説明する。
【００１０】
図１は、本発明による固体撮像装置の第１の実施例を示すブロック図である。図１において、10は、被写体の光学像に対応する電気信号を出力する固体撮像素子である。図２は、この固体撮像素子10の一例であって、４相駆動のインターライン形CCD である。このCCD10 は、撮像領域に多数の光電変換素子、たとえばホトダイオード40がマトリックス状に配置され、ホトダイオード40の各列に隣接して垂直転送路42が配置されている。そして、各ホトダイオード40は、トランスファゲート44を介して垂直転送路42に接続されている。各垂直転送路42の下端は水平転送路46に接続され、水平転送路46の左端は出力回路48に接続されている。
【００１１】
各垂直転送路42には、信号電荷を水平転送路46の方向に転送するための垂直駆動パルスφV1〜φV4が水平ブランキング期間に供給され、水平転送路46には、信号電荷を出力回路48の方向に転送するための水平駆動パルスφH1、φH2が水平走査期間に繰り返し供給される。垂直ブランキング期間に、たとえば、水平転送路46に近い方から数えて奇数番目の各行の各トランスファゲート44にフィールドシフトパルスが供給されると、ホトダイオード40に蓄積されていた信号電荷は、トランスファゲート44を通して垂直転送路42に移される。
【００１２】
垂直転送路42は、垂直駆動パルスφV1〜φV4に従って各ホトダイオード40から移された信号電荷を水平転送路46の方向に１行分（１ライン分）転送する。水平転送路46に到達した信号電荷は、水平転送路46に移される。水平転送路46は、水平駆動パルスφH1、φH2に従って垂直転送路42から移された各信号電荷を出力回路48の方向に転送する。これにより、水平転送路46に移された１ライン分の信号電荷は、水平走査期間内に順次出力回路48に到達する。出力回路48は、順次到達する信号電荷を電気信号（アナログ信号）に変換して出力する。
【００１３】
このようにして、CCD10 は、垂直駆動パルスφV1〜φV4が供給される毎に、１ライン分のアナログ信号を出力回路48から出力する。そして、１フィールドのアナログ信号をすべて出力すると、次のブランキング期間では偶数番目の各行のトランスファゲート44にフィールドシフトパルスが供給され、次のフィールドのアナログ信号を出力回路48から出力する。
【００１４】
図１に戻って、A/D 変換部12は、CCD10 から出力されるアナログ信号を入力して所定のレベルまで増幅し、これをタイミング信号発生部20からのタイミング信号に従ってディジタル信号（データ）に変換してDSP 部14に出力する。DSP 部14は、ディジタル信号処理専用のマイクロプロセッサを含み、A/D 変換部12からのデータに所定の処理を施して表示用データ（あるいは表示用画像信号）を生成し、これを表示装置18に出力する。
【００１５】
また、DSP 部14は、制御回路28からマスキングパルス発生予告信号32が与えられたとき、その水平走査期間にA/D 変換部12から入力される１水平走査期間のデータをラインメモリ16に一時格納し、制御回路28からマスキングパルス発生通知信号34が与えられたとき、ラインメモリ16から１水平走査期間のデータを読み出して表示用データを生成し、これを表示装置18に出力する。なお、通常、DSP14 にはメモリが内蔵されているので、そのメモリの一部をラインメモリ16として使用すれば、ラインメモリを別個に設ける必要はない。また、ラインメモリ16にA/D 変換部12からのデータを水平走査期間毎に格納する場合には、上述のマスキングパルス発生予告信号32は不要となる。
【００１６】
表示装置18は、たとえば、液晶ディスプレイ、CRT モニタ等であって、DSP 部14から出力される表示用データに基づいて映像を表示する。なお、本実施例では、表示装置18のライン数は、CCD10 における垂直方向のホトダイオード数、つまりライン数より多いものとする。したがって、DSP14 では、表示用データのライン数を表示装置18のライン数に一致するようにラインを補間する。タイミング信号発生部20のタイミング信号発生回路22は、A/D 変換部12およびDSP 部14の動作に必要なタイミング信号を生成するとともに、CCD10 の駆動パルスを生成するために必要なタイミング信号を生成する。
【００１７】
水平駆動回路24は、タイミング発生回路22で生成されたタイミング信号に基づいて水平駆動パルスφH1、φH2を各水平走査期間に所定のタイミングで繰り返し生成し、これをCCD10 に出力する。垂直駆動回路26は、タイミング発生回路22で生成されたタイミング信号に基づいて垂直駆動パルスφV1〜φV4を各水平ブランキング期間に所定のタイミングで生成し、これをCCD10 に出力する。ただし、制御回路28からマスキングパルス30が与えられたときその出力を一時停止する。垂直駆動回路26は、CCD10 のトランスファゲート44にフィールドシフトパルスを所定のタイミングで供給する。
【００１８】
制御回路28は、あらかじめ定められた手順に従ってマスキングパルス30を生成し、これを垂直駆動回路26に出力する。たとえば、表示装置18のライン数とCCD10 のライン数の比に応じて、垂直駆動パルスφV1〜φV4の出力を数回に１回の割合で停止させるためのマスキングパルス30を生成し、あるいは、表示装置18のライン数とCCD10 のライン数の差に応じてあらかじめ定められたタイミングでマスキングパルス30を生成する。
【００１９】
また、制御回路28は、マスキングパルス30を出力する１水平走査期間前の時点でマスキングパルス30の発生を予告するマスキングパルス発生予告信号32をDSP 部14に出力し、マスキングパルス30を出力する時点でマスキングパルス30の発生を通知するマスキングパルス発生通知信号34をDSP 部14に出力する。ただし、前述のように、DSP14 においてA /D変換部12からのデータを水平走査期間毎にラインメモリ16に格納する場合には、マスキングパルス発生予告信号32は不要である。なお、マスキングパルス30は、DSP14 あるは他のマイクロコンピュータにより生成してもよい。また、制御回路28に外部からデータを与え、そのデータに基づいてマスキングパルス30のタイミングを制御してもよい。
【００２０】
次に、図１の固体撮像装置の動作を図３のタイミングチャートを用いて説明する。図３(a) 〜(d) は、垂直駆動回路26からCCD10 に供給される垂直駆動パルスφV1〜φV4であり、図３(e) は、水平駆動回路24からCCD10 に供給される水平駆動パルスφH1またはφH2である。ただし、図３では、水平走査期間H4の水平ブランキング期間で、垂直駆動パルスφV1〜φV4の出力が一時停止されている。
【００２１】
まず、水平走査期間H1では、CCD10 に垂直駆動パルスφV1〜φV4および水平駆動パルスφH1、φH2が供給されと、CCD10 からアナログ信号がA/D 変換部12に出力され、A/D 変換部12からディジタル信号（データ）がDSP 部14に出力される。図３(f) のDn-1は、A/D 変換部12から出力されるデータ（以下、CCD 出力データと称す）である。DSP 部14では、A/D 変換部12からのCCD 出力データに所定の処理を施して表示用データ（あるいは表示用画像信号）を生成し、これを表示部18に出力する。図３(h) のDn-1は表示用データである。同様にして、水平走査期間H2には表示用データDnが、水平走査期間H3には表示用データDn+1がそれぞれDSP 部14から出力される。
【００２２】
ただし、水平走査期間H3では、水平ブランキング期間に制御回路28からマスキングパルス発生予告信号32がDSP 部14に出力される。DSP 部14では、このマスキングパルス発生予告信号32が与えられると、A/D 変換部12からのCCD 出力データDn+1から表示用データDn+1を生成するとともに、そのCCD 出力データDn+1をラインメモリ16に格納する。図３(g) のDn+1は、このラインメモリ16に格納されたデータを示す。なお、生成した表示用データDn+1をラインメモリ16に格納してもよい。
【００２３】
水平走査期間H4では、水平ブランキング期間に制御回路28からマスキングパルス30が垂直駆動回路26に出力される。垂直駆動回路26では、このマスキングパルス30に従ってCCD10 に供給する垂直駆動パルスφV1〜φV4の出力を停止する。CCD10 の垂直転送路42では、垂直駆動パルスφV1〜φV4の供給が停止されるので、信号電荷の転送を停止する。垂直転送路42内の信号電荷は、次の垂直駆動パルスφV1〜φV4がCCD10 に供給されるまでその位置に止まり、垂直転送路42から水平転送路46に移される信号電荷はない。このため、水平転送路46には信号電荷が存在せず、水平駆動パルスφH1、φH2が供給されも出力回路48からアナログ信号が出力されない。したがって、A/D 変換部12からCCD 出力データが出力されない。
【００２４】
また、水平走査期間H4では、制御回路28は、マスキングパルス30を垂直駆動回路26に出力するときマスキングパルス発生通知信号34をDSP 部14に出力する。DSP 部14では、マスキングパルス発生通知信号34が与えられるとラインメモリ16に格納してあるデータDn+1を読み出し、これに所定の処理を施して表示用データDn+1を生成し、表示装置18に出力する。したがって、DSP 部14からは、図３(h) に示すように、水平走査期間H4では、水平走査期間H3に出力された表示用データDn+1と同一内容の表示用データDn+1が出力され、１ライン増えたことになる。
【００２５】
なお、DSP 部14では、水平走査期間H3においてラインメモリ16に生成した表示用データDn+1を格納する場合には、マスキングパルス発生通知信号34が与えられたとき、ラインメモリ16に格納してある表示用データDn+1を読み出してそのまま表示装置18に出力すればよい。また、本実施例では、水平走査期間H4において、１ライン前の表示用データDn+1をそのまま出力しているが（単純補間）、他の補間方法を採用してもよい。
【００２６】
次の水平走査期間H5では、CCD10 に垂直駆動パルスφV1〜φV4および水平駆動パルスφH1、φH2が供給される。したがって、CCD10 からは水平走査期間H3に出力されたアナログ信号の次のラインのアナログ信号が出力され、A/D 変換部12からCCD 出力データDn+2が出力され、DSP 部14から表示用データDn+2が出力される。水平走査期間H5でも水平走査期間H5の場合と同様にして、DSP 部14から表示用データDn+3が出力される。
【００２７】
このように、本実施例では、CCD10 に対する垂直駆動パルスφV1〜φV4の供給を一時停止することにより１ライン分のアナログ信号の読み出しを一時停止し、１ライン前に出力した表示用データを出力する。これにより、表示装置18に出力される表示用データのライン数が１ライン増加する。たとえば、CCD10 におけるホトダイオード40の行数が525 行で表示装置18のライン数が625 本であるとき、CCD10 に対する垂直駆動パルスφV1〜φV4の供給を５回に１回の割合で一時停止し、その都度１ライン前に出力した１ライン分の表示用データを出力することによりライン数を５ラインから６ラインに増加させ、525 本から625 本に変換することができる。
【００２８】
したがって、本実施例によれば、フレーム画像メモリやフィールド画像メモリ等の大容量画像メモリを使用することなくライン数を増やすことができるので、消費電力を大幅に低減することができる。また、DSP 部14に内蔵されているメモリの一部をラインメモリ16として使用すれば新たにラインメモリを設ける必要がない。
【００２９】
次に、本発明による固体撮像装置の第２の実施例について説明する。この固体撮像装置は、基本的には図１に示す固体撮像装置の構成と同じであるので、ここでは、図１を用いて説明する。ただし、本実施例では、図１のCCD10 には、色フィルタ配列の一方式であるベイヤ(Bayer) 方式による色フィルタアレイが設置されているものとする。図４は、このベイヤ方式による色フィルタ配列の一例である。
【００３０】
図４において、R 、G 、B はそれぞれ赤色、緑色、青色を透過する色フィルタであり、まずG を市松状に配列し、残りの部分にR とB を市松状に配列し、さらに、インタレース動作を考慮して縦方向に同一色フィルタを２画素ずつ配置する配列となっている。また、この色フィルタアレイを用いる場合、輝度信号を算出するために１ライン遅延された信号と原時点における信号とが必要である。本実施例では、図１のDSP14 は、ラインメモリ16とは別に、信号を１ライン遅延させるためのラインメモリ（以下、内蔵ラインメモリと称す）を内蔵しているものとする。
【００３１】
本実施例による固体撮像装置の動作を図５のタイミングチャートを用いて説明する。図５(a) 〜(d) は、垂直駆動パルスφV1〜φV4であって図１(a) 〜(d) の垂直駆動パルスφV1〜φV4と同じものであり、図５(e) は、水平駆動パルスφH1またはφH2であって図１(d) の水平駆動パルスφH1、φH2と同じものである。また、垂直駆動パルスφV1〜φV4は、平走査期間H4においてその出力が一時停止されている。
【００３２】
まず、水平走査期間H1では、CCD10 に垂直駆動パルスφV1〜φV4および水平駆動パルスφH1、φH2が供給され、A/D 変換部12から図５(f) に示すCCD 出力データDn-1が出力され、DSP 部14に入力される。DSP 部14では、A/D 変換部12からのCCD 出力データDn-1と内蔵ラインメモリで１ライン遅延されたCCD 出力データDn-2とを用いて所定の処理を実行し、表示用データDn-2,n-1を生成して表示装置18に出力する。図５(h) は、この表示用データDn-2,n-1を示す。また、DSP 部14では、入力されたCCD 出力データDn-1を内蔵ラインメモリのCCD 出力データDn-2が読み出されたあとに順次格納していく。図５(g) は、内蔵ラインメモリに格納されているデータを示す。
【００３３】
水平走査期間H2、H3では、水平走査期間H1の場合と同様にして、表示用データDn-1,n、Dn,n+1が表示装置18に出力される。ただし、水平走査期間H3では、制御回路28は、水平ブランキング期間にマスキングパルス出力予告信号32をDSP 部14に出力する。DSP 部14では、このマスキングパルス出力予告信号32が与えられると、生成した表示用データDn,n+1と同じ内容のデータDn,n+1をラインメモリ16に格納する。図５(i) は、ラインメモリ16に格納されたデータDn,n+1を示す。
【００３４】
水平走査期間H4では、CCD10 に垂直駆動パルスφV1〜φV4が供給されない。したがって、CCD10 からアナログ信号が出力されず、A/D 変換部12からCCD 出力データが出力されない。しかし、制御回路28は、水平ブランキング期間にマスキングパルス発生通知信号34をDSP 部14に出力する。DSP 部14では、このマスキングパルス発生通知信号34が与えられると、ラインメモリ16に格納しているデータDn,n+1を読み出し、これを表示用データDn,n+1として出力する。これにより、表示用データのライン数が１ライン増加したことになる。
【００３５】
次の水平走査期間H5では、CCD10 に垂直駆動パルスφV1〜φV4および水平駆動パルスφH1、φH2が供給され、A/D 変換部12からCCD 出力データDn+1の次のラインのCCD 出力データDn+2が出力され、DSP 部14に入力される。DSP 部14では、CCD 出力データDn+2と内蔵ラインメモリに格納されているCCD 出力データDn+1に基づいて表示用データDn+1,n+2を生成し、表示装置18に出力する。また、DSP 部14では、入力されたCCD 出力データDn+2を内蔵ラインメモリに格納する。同様にして、水平走査期間H6には表示データDn+2,n+3が表示装置18に出力される。このようにして、本実施例においても、第１の実施例の場合と同様な効果を得ることができる。
【００３６】
次に、本発明による固体撮像装置の第３の実施例について説明する。この固体撮像装置は、基本的には第２の実施例の固体撮像装置と同じ構成である。ただし、CCD10 は非常に多くのホトダイオードを含む多画素撮像素子であり、水平走査期間が表示装置18の２倍（たとえば、テレビジョン方式の水平走査期間64.5μsec の２倍) であるとする。本実施例では、DSP 部14でCCD 出力データを水平走査期間が1/2 の表示用データに変換するものとし、DSP 部14は、その変換のために１ライン（たとえば、127 μsec ）分のデータを格納する３個のラインメモリ（以下、内蔵ラインメモリA 、B 、C と称す）を内蔵しているものとする。なお、本実施例では、図１のラインメモリ16は必要ではない。
【００３７】
本実施例による固体撮像装置の動作を図６のタイミングチャートを用いて説明する。図６(a) 〜(d) は、垂直駆動パルスφV1〜φV4であり、図５(a) 〜(d) の垂直駆動パルスφV1〜φV4と同じものであり、図６(e) は、水平駆動パルスφH1またはφH2であり、図５(d) の水平駆動パルスφH1、φH2と同じものである。また、垂直駆動パルスφV1〜φV4は、水平走査期間H4でその出力が一時停止されるものとする。
【００３８】
まず、水平走査期間H1では、CCD10 に垂直駆動パルスφV1〜φV4およびの水平駆動パルスφH1、φH2が供給され、A/D 変換部12からCCD 出力データDn-2が出力され、DSP 部14に入力される。DSP 部14では、入力されたCCD 出力データDn-2を内蔵ラインメモリB に格納していく。なお、本実施例では、CCD 出力データを水平走査期間毎に内蔵ラインメモリB 、A 、C 、B の順に繰り返しながら格納するものとする。図６(g) 〜(i) は、内蔵ラインメモリA 〜C に格納されているデータである。
【００３９】
DSP 部14では、内蔵ラインメモリA に格納されている２ライン前のCCD 出力データDn-4と内蔵ラインメモリC に格納されている１ライン前のCCD 出力データDn-3とを用いて水平走査期間が1/2 （たとえば、63.5μsec ）の表示用データDn-4,n-3を繰り返し生成し、表示部18に出力する。水平走査期間H2、H3でも同様に、DSP14 では、２ライン前と１ライン前のCCD 出力データを用いて表示用データDn-3,n-2、Dn-2,n-1を繰り返し生成し、表示部18に出力する。図６(j) は表示用データを示す。
【００４０】
水平走査期間H4では、CCD10 に垂直駆動パルスφV1〜φV4が供給されない。したがって、CCD10 からアナログ信号が出力されず、A/D 変換部12からCCD 出力データが出力されない。しかし、制御回路28は、水平ブランキング期間にマスキングパルス発生通知信号34をDSP 部14に出力する。DSP 部14では、マスキングパルス発生通知信号34が与えられると、水平走査期間H3の場合と同様な動作を行い、表示用データDn-2,n-1を繰り返し生成し、表示部18に出力する。したがって、水平走査期間H4では、図６(j) に示すように平走査期間H4における表示用データDn-2,n-1と同じ内容の表示用データがDn-2,n-1繰り返し出力され、表示用データが２ライン補間されたことになる。
【００４１】
水平走査期間H5、H6では、水平走査期間H1の場合と同様にしてDSP 部14から表示用データDn-1,n、Dn,n+1が出力される。本実施例では、DSP 部14に内蔵されている信号処理用の内蔵ラインメモリA 〜C を利用してラインを補間しているので、補間用のラインメモリを必要としない。
【００４２】
上述の実施例は、撮像素子から出力される信号の水平走査期間を1/2 に変換する場合であるが、水平走査期間を1/3 に変換する場合にも適用することができる。この場合の表示用データを図６(k) に示す。たとえば、図６(k) の水平走査期間H1では、DSP 部14は、内蔵ラインメモリA に格納されている２ライン前のCCD 出力データDn-4と内蔵ラインメモリC に格納されている１ライン前のCCD 出力データDn-3とを用いて水平走査期間が1/3 の表示用データDn-4,n-3を３回繰り返し生成し、表示部18に出力する。
【００４３】
本実施例は、このような水平走査期間を1/2 または1/3 に変換する場合に限定されるものではなく、水平走査期間を1/N （N は２以上の自然数）に変換する場合に適用できるできることは勿論である。この場合、DSP 部14は、各水平走査期間（H1、H2、H3、・・・）において水平走査期間が1/N の表示用データをN 回繰り返し生成し、表示部18に出力する。
【００４４】
次に、本発明による固体撮像装置の第４の実施例について説明する。この固体撮像装置は、固体撮像素子としてMOS 形撮像素子を用いている。図７は、MOS 形撮像素子の一例である。このMOS 形撮像素子では、ホトダイオードと垂直選択スイッチからなる多数の画素50を撮像領域にマトリックス状に配置している。各画素50の垂直選択スイッチは、行毎に制御線54を介して垂直走査回路52に接続されるとともに列毎に垂直信号線56を介して水平選択スイッチ58に接続されている。また、各水平選択スイッチ58は、水平走査回路60および水平信号線62に接続されている。
【００４５】
垂直走査回路52には、各水平ブランキング期間に垂直クロック64が供給されている。垂直走査回路52は、この垂直クロック64に基づいて各画素50を行毎に順次選択するための垂直走査パルスを生成し、該当する制御線54に順次出力する。ただし、垂直走査回路52は、水平ブランキング期間に図示しない制御回路からマスキングパルス66が与えられたとき、制御線の選択を一時停止し、前回垂直走査パルスを出力した制御線54に再度垂直走査パルスを出力する。そして、垂直走査回路52は、その後垂直クロック64が供給されたとき、先に再度垂直走査パルスを出力した制御線54の行の次の行の制御線54を選択して垂直走査信号を出力する。
【００４６】
各画素50では、接続されている制御線54に垂直走査パルスが印加されると垂直選択スイッチをオンにし、ホトダイオードに蓄積されていた信号電荷電圧を垂直信号線56に出力する。垂直走査パルスが印可されない画素50のホトダイオードは、そのまま電荷の蓄積を続ける。水平走査回路60では、水平走査期間に繰り返し供給される水平クロック68に基づいて各垂直信号線56の信号電荷電圧を順次選択するための水平走査パルスを生成し、水平選択スイッチ58に出力する。
【００４７】
各水平選択スイッチ58では、水平走査回路60から水平走査パルスが与えられると、接続されている垂直信号線56の信号電荷電圧を選択して水平信号線62に出力する。これにより、各垂直信号線56の信号電荷電圧は、水平走査期間内に順次選択されて水平信号線62に出力される。このように、各画素50のホトダイオードに蓄積された信号電荷電圧は、たとえば、図７の上の行から下の行の順に、各行では左側の画素から右側の画素の順に選択され、水平信号線62からアナログ信号として出力される。
【００４８】
本実施例では、MOS 形撮像素子50が非破壊読み出し可能であることを利用して、同じ行の各画素から信号電荷電圧を連続する２水平走査期間で水平走査期間毎に読み出すことによりラインの補間を行っている。具体的には、垂直走査回路52に所定のタイミングで制御回路からマスキングパルス66を供給する。垂直走査回路52では、このマスキングパルス66が入力されると、前回垂直走査パルスを出力した制御線54に再び垂直走査パルスを出力する。したがって、この制御線54に接続されている各画素50では、前回の水平走査期間に続いて再びホトダイオードに蓄積されていた信号電荷電圧を垂直信号線56に出力する。
【００４９】
一方、水平走査回路60には、垂直走査回路52へのマスキングパルス66の供給に関係なく水平クロック68が供給される。水平走査回路60では、水平クロック68に基づいて水平走査パルスを順次生成し、各水平選択スイッチ58に出力する。各水平選択スイッチ58では、水平走査パルスに従って垂直信号線56の信号電荷電圧を選択して水平信号線62に出力する。これにより、水平信号線62には、前の水平走査期間に出力されたアナログ信号と同じ内容のアナログ信号が再び出力され、アナログ信号のライン数が１ライン増加されたことになる。なお、マスキングパルス66は、たとえば、MOS 形撮像素子のライン数と表示装置のライン数との比に応じて生成される。
【００５０】
このように、本実施例では、垂直走査回路52にマスキングパルス66を供給することにより、その水平走査期間では、前回選択した行の各画素を再度選択しその信号電荷電圧を読み出して出力し、その後は次の行から順次選択しているので、ライン数を１ライン増加することができる。なお、この場合、ライン補間のためのラインメモリは必要ない。
【００５１】
【発明の効果】
以上述べたように本発明によれば、固体撮像素子における信号電荷の垂直方向の転送を一時停止し、前ラインの信号を出力することによりラインを補間しているので、フレーム画像メモリまたはフレーム画像メモリ等の大容量のメモリを使用する必要がなく、消費電力を低減させることができる。また、大容量のメモリにデータを書き込んだり読み出したりする必要がないので、データバス専有によるシステムパフォーマンスの低下を回避することができる。
【００５２】
また、固体撮像素子としてMOS 形撮像素子を用い、同一行の画素群から２ライン続けて信号を読み出すことにより、ラインメモリを用いることなくラインを補間することができる。
【図面の簡単な説明】
【図１】本発明による固体撮像装置の第１の実施例を示すブロック図である。
【図２】図１の固体撮像装置におけるCCD 撮像素子の一例を示す図である。
【図３】図１の固体撮像装置の動作を示すタイミングチャートである。
【図４】ベイヤ方式による色フィルタの配置を示す図である。
【図５】本発明による固体撮像装置の第２の実施例の動作を示すタイミングチャートである。
【図６】本発明による固体撮像装置の第３の実施例の動作を示すタイミングチャートである。
【図７】本発明による固体撮像装置の第４の実施例におけるMOS 形撮像素子の一例を示す図である。
【符号の説明】
10  CCD
12  A/D 変換部
14  DSP 部
16  ラインメモリ
18  表示部
20  タイミング信号発生部
22  タイミング信号発生回路
24  水平駆動回路
26  垂直駆動回路
28  制御回路
【図１】
0004149591.tif 000002
【図２】
0004149591.tif 000003
【図３】
0004149591.tif 000004
【図４】
0004149591.tif 000005
【図５】
0004149591.tif 000006
【図６】
0004149591.tif 000007
【図７】
0004149591.tif 000008